(57)【要約】【課題】ガラス基板を介したＰＣＢ間の通信に関し、信号の品質を劣化させない通信を行う。【解決手段】左側プリント配線基板２２０の配線２２２から、右側プリント配線基板２３０の配線２３２に送信される信号は、左側プリント配線基板２２０の配線２２２から、第３ドレインＣＯＦ２４３の配線２８２を経由し、第３ドレインドライバ素子２５３に入り、第３ドレインドライバ素子２５３の増幅器３００により信号が増幅される。増幅された信号は、第３ドレインＣＯＦ２４３の配線２８４を経由し、ＴＦＴ基板２６０上の配線２６６に入力される。ＴＦＴ基板２６０上の配線２６６に入力された信号は、第４ドレインＣＯＦ２４４の配線２８６、第４ドレインドライバ素子２５４の通過回路２９４、第４ドレインＣＯＦ２４４の配線２８８を順に通り、右側プリント配線基板２３０の配線２３２に入力される。【選択図】図３
2010258180.tif 000002
【特許請求の範囲】
【請求項１】
第１配線を有する第１プリント配線基板と、
前記第１プリント配線基板の前記第１配線と電気的に接続され、第１増幅器を含む第１回路を実装した第１フレキシブル基板と、
前記第１フレキシブル基板の前記第１回路と電気的に接続された第２配線を有するガラス基板と、
前記ガラス基板の前記第２配線と電気的に接続された第２回路を実装した第２フレキシブル基板と、
前記第２フレキシブル基板の第２回路と電気的に接続された第３配線を有する第２プリント配線基板と、を備えるプリント配線基板間接続回路。
【請求項２】
前記第１増幅器は、前記第１プリント配線基板側から入力された信号を増幅し、第２プリント配線基板側に出力する、ことを特徴とする請求項１に記載のプリント配線基板間接続回路。
【請求項３】
前記第１増幅器は、前記第２プリント配線基板側から入力された信号を増幅し、第１プリント配線基板側に出力する、ことを特徴とする請求項１に記載のプリント配線基板間接続回路。
【請求項４】
前記第２回路は第２増幅器を含む、ことを特徴とする請求項１に記載のプリント配線基板間接続回路。
【請求項５】
前記ガラス基板は、表示装置に使用される薄膜トランジスタ基板であり、
前記第１フレキシブル基板は、前記表示装置の駆動回路を内部に有する集積回路素子を更に有し、
前記第１増幅器は、前記集積回路素子の内部に含まれる、ことを特徴とする請求項１に記載のプリント配線基板間接続回路。
【請求項６】
液晶表示装置に使用される駆動回路素子であって、
薄膜トランジスタ基板の複数のトランジスタを駆動する駆動回路と、
信号を増幅して通過させる回路と、を備える駆動回路素子。
【請求項７】
信号を増幅することなく通過させる回路を更に備える、ことを特徴とする請求項６に記載の駆動回路素子。
【請求項８】
請求項１〜５のいずれか一項のプリント配線基板間接続回路を備える液晶表示装置。
【発明の詳細な説明】
【技術分野】
【０００１】
本発明は、プリント配線基板間接続回路、駆動回路素子及び液晶表示装置に関し、より詳しくは、ガラス基板を介したプリント配線基板間の通信を行う接続回路、その通信を行うための駆動回路素子、及びその接続回路を使用した液晶表示装置に関する。
【背景技術】
【０００２】
コンピュータ等の情報通信端末やテレビ受像機の表示デバイスとして、液晶表示装置が広く用いられている。液晶表示装置は、２つの基板の間に封じ込められた液晶分子の配向を変えることにより、光の透過度合いを変化させて、表示させる画像を制御する装置である。このような液晶表示装置を駆動する駆動回路のＩＣ（Integrated Circuit）は、ＣＯＦ（Chip On Film）やＴＣＰ（Tape Carrier Package）と呼ばれるパッケージとしてフィルム状の基板に載せられており、このフィルム状の基板が、液晶パネルのガラス基板とタイミングコントローラからの映像信号を受信するプリント配線基板とを、物理的かつ電気的に接続している。
【０００３】
このタイミングコントローラからの映像信号を受信するプリント配線基板は、液晶パネルのガラス基板の一の縦方向及び一の横方向の辺に沿って設置されるが、液晶パネルの大型化が進むにつれて、大型の液晶パネルでは、ひとつのプリント配線基板で構成することはできず、一方向に複数のプリント配線基板が使用されることがある。
【０００４】
特許文献１は、この複数のプリント配線基板が使用されている場合に、これらのプリント配線基板をＦＰＣ（Flexible Printed Circuits）やＦＦＣ（Flexible Flat Cable）等のフラットケーブルにより電気的に接続することについて、開示している。
【０００５】
また、特許文献２は、ゲートドライバＴＡＢ（Tape Automated Bonding）への配線に関し、ガラス基板上の配線とその配線上にノイズを低減するためのシールドを行うことについて開示している。
【先行技術文献】
【特許文献】
【０００６】
【特許文献１】特開２００７−１３４３５７号公報
【特許文献２】特開２００８−０３２９２０号公報
【発明の概要】
【発明が解決しようとする課題】
【０００７】
特許文献１のようなＦＰＣやＦＦＣによりＰＣＢ間を接続する方法は、ノイズや波形の歪みを防止する面からは有効である。しかしながら、製造工程が増加することから、製造コストの増加が避けられない。また、特許文献２のノイズを低減する方法は、ガラス基板の配線において生じるノイズについては有効であると考えられるが、信号波形自体の歪みや減衰に対しての対策ではない。
【０００８】
本発明は、上述の事情を鑑みてしたものであり、ガラス基板を介したＰＣＢ間の通信に関し、信号の品質を劣化させない通信を行うことを目的とする。
【課題を解決するための手段】
【０００９】
本発明のプリント配線基板間接続回路は、第１配線を有する第１プリント配線基板と、前記第１プリント配線基板の前記第１配線と電気的に接続され、第１増幅器を含む第１回路を実装した第１フレキシブル基板と、前記第１フレキシブル基板の前記第１回路と電気的に接続された第２配線を有するガラス基板と、前記ガラス基板の前記第２配線と電気的に接続された第２回路を実装した第２フレキシブル基板と、前記第２フレキシブル基板の第２回路と電気的に接続された第３配線を有する第２プリント配線基板と、を備えるプリント配線基板間接続回路である。
【００１０】
ここで、「回路を実装したフレキシブル基板」は、フレキシブル基板上の別の素子の内部にある回路も含むことを意味する。
【００１１】
また、本発明のプリント配線基板間接続回路は、前記第１増幅器は、前記第１プリント配線基板側から入力された信号を増幅し、第２プリント配線基板側に出力する、とすることができる。また、本発明のプリント配線基板間接続回路は、前記第１増幅器は、前記第２プリント配線基板側から入力された信号を増幅し、第１プリント配線基板側に出力する、とすることができる。
【００１２】
また、本発明のプリント配線基板間接続回路は、前記第２回路は第２増幅器を含む、とすることができる。
【００１３】
また、本発明のプリント配線基板間接続回路は、前記ガラス基板は、表示装置に使用される薄膜トランジスタ基板であり、前記第１フレキシブル基板は、前記表示装置の駆動回路を内部に有する集積回路素子を更に有し、前記第１増幅器は、前記集積回路素子の内部に含まれる、とすることができる。
【００１４】
本発明の駆動回路素子は、液晶表示装置に使用される駆動回路素子であって、薄膜トランジスタ基板の複数のトランジスタを駆動する駆動回路と、信号を増幅して通過させる回路と、を備える駆動回路素子である。
【００１５】
また、本発明の駆動回路素子は、信号を増幅することなく通過させる回路を更に備える、とすることができる。
【００１６】
本発明の液晶表示装置は、上述のプリント配線基板間接続回路のうちの、いずれかのプリント配線基板間接続回路を備える液晶表示装置である。
【図面の簡単な説明】
【００１７】
【図１】本発明の液晶表示装置に係る液晶テレビ受像機を示す図である。
【図２】図１の液晶モジュールを概略的に示す図である。
【図３】図２のＡで示された部分の詳細を概略的に示す図である。
【図４】図３の増幅器の構成を示す図である。
【図５】本発明の実施形態の第１の変形例を示す図である。
【図６】本発明の実施形態の第２の変形例を示す図である。
【図７】本発明の実施形態の第３の変形例を示す図である。
【発明を実施するための形態】
【００１８】
以下、本発明の実施形態について、図面を参照しつつ説明する。なお、図面において、同一又は同等の要素には同一の符号を付し、重複する説明を省略する。
【００１９】
図１は、本発明の液晶表示装置に係る液晶テレビ受像機１００が示されている。この図１に示されるように、液晶テレビ受像機１００は、筐体１１０と、表示画面１２０と、スピーカ１３０等を備え、内部に、テレビ放送電波を受信して、その信号を映像として表示するための液晶モジュール２００を備えている。
【００２０】
図２には、液晶モジュール２００の構成が概略的に示されている。液晶モジュール２００は、ゲート信号線２６２及びドレイン信号線２６４が張り巡らされることにより、一画素として機能するセルをトランジスタと共に形成するＴＦＴ（Thin Film Transistor）基板２６０と、ＴＦＴ基板２６０との間で、不図示の液晶組成物が封止し、Ｒ（赤）、Ｇ（緑）、Ｂ（青）のフィルタを備えるカラーフィルタ基板２６８と、ドレイン信号線２６４に入力される信号を制御する第１ドレインドライバ素子２５１〜第６ドレインドライバ素子２５６と、第１ドレインドライバ素子２５１〜第６ドレインドライバ素子２５６をそれぞれ実装し、ＡＣＦ（Anisotropic Conductive Film）によりＴＦＴ基板２６０と接続された第１ドレインＣＯＦ２４１〜第６ドレインＣＯＦ２４６と、ゲート信号線２６２に入力される信号を制御する第１ゲートドライバ素子２７６〜第４ゲートドライバ素子２７９と、第１ゲートドライバ素子２７６〜第４ゲートドライバ素子２７９をそれぞれ実装し、ＡＣＦ（Anisotropic Conductive Film）によりＴＦＴ基板２６０と接続された第１ゲートＣＯＦ２７１〜第４ゲートＣＯＦ２７４と、第１ドレインＣＯＦ２４１〜第３ドレインＣＯＦ２４３と電気的に接続され、配線２２２を有する左側プリント配線基板２２０と、第４ドレインＣＯＦ２４４〜第６ドレインＣＯＦ２４６と電気的に接続され、配線２３２を有する右側プリント配線基板２３０と、外部のアンテナ１６０から受信した信号を取り込み、内蔵されたチューナ、デコーダ等により映像信号の取得と処理を行い、同じく内蔵されたタイミングコントローラにより出力を行う映像信号処理素子２１１と、この映像信号処理素子２１１が実装された映像信号処理プリント配線基板２１０と、映像信号処理プリント配線基板２１０と左側プリント配線基板２２０と接続し、ＦＰＣ（Flexible Printed Circuits）やＦＦＣ（Flexible Flat Cable）等から成るフレキシブルケーブル２１５とを備えている。
【００２１】
ここで、映像信号の流れについて説明する。アンテナ１６０で受信された電波信号は、映像信号処理素子２１１によりデコード等の処理を行い、映像出力のタイミングで出力される。映像信号処理素子２１１から出力された信号は、フレキシブルケーブル２１５を介して、左側プリント配線基板２２０に入り、更に、左側プリント配線基板２２０に接続された第１ドレインＣＯＦ２４１〜第３ドレインＣＯＦ２４３に入力される。
【００２２】
ここで、第１ドレインＣＯＦ２４１に入力された一部の信号は、ＴＦＴ基板２６０上の配線２６９を介し、第１ゲートＣＯＦ２７１〜第４ゲートＣＯＦ２７４に入り、それぞれ第１ゲートドライバ素子２７６〜第４ゲートドライバ素子２７９に入力され、各ゲートドライバ素子において、ゲート信号線２６２への出力信号の生成に使用される。
【００２３】
また、第１ドレインＣＯＦ２４１〜第３ドレインＣＯＦ２４３から、それぞれ第１ドレインドライバ素子２５１〜第６ドレインドライバ素子２５６に入った信号の一部は、各ドレインドライバ素子において、ドレイン信号線２６４への出力信号の生成に使用される。
【００２４】
また、左側プリント配線基板２２０の一番右側に接続された第３ドレインＣＯＦ２４３に入力された信号の一部は、第３ドレインＣＯＦ２４３に実装された第３ドレインドライバ素子２５３に入力された後、ＴＦＴ基板２６０のガラス基板上に形成された配線２６６を経由して、右側プリント配線基板２３０の一番左側に接続された第４ドレインＣＯＦ２４４に入力され、第４ドレインＣＯＦ２４４に実装された第４ドレインドライバ素子２５４を経由して、右側プリント配線基板２３０の配線２３２に入る。
【００２５】
図３には、図２のＡで示された部分の詳細が概略的に示されている。この図３では、右側プリント配線基板２３０の配線２３２に入力されるべき信号について説明するために、第３ドレインドライバ素子２５３及び第４ドレインドライバ素子２５４の入出力信号のうち、ドレイン信号線２６４へ出力するための信号を生成するドレインドライバ回路２９０で利用される入出力線は省略し、左側プリント配線基板２２０から右側プリント配線基板２３０へ送る信号の配線のみ示している。ここで、送信すべき具体的な信号の内容としては、水平同期信号、反転信号、クロック信号、階調データ信号、電源等が挙げられるが、ここでは、図が煩雑になるのを避けるため、これらの信号線のうち４本の信号線のみを示している。
【００２６】
右側プリント配線基板２３０の配線２３２に入力されるべき信号は、左側プリント配線基板２２０の配線２２２から、第３ドレインＣＯＦ２４３の配線２８２を経由し、第３ドレインドライバ素子２５３に入り、増幅回路２９２の増幅器３００により信号が増幅される。増幅された信号は、第３ドレインＣＯＦ２４３の配線２８４を経由し、ＴＦＴ基板２６０上の配線２６６に入力される。ＴＦＴ基板２６０上の配線２６６に入力された信号は、第４ドレインＣＯＦ２４４の配線２８６、第４ドレインドライバ素子２５４の通過回路２９４、第４ドレインＣＯＦ２４４の配線２８８を順に通り、右側プリント配線基板２３０の配線２３２に入力される。
【００２７】
配線２３２に入力された信号は、右側プリント配線基板２３０に接続された第４ドレインＣＯＦ２４４〜第６ドレインＣＯＦ２４６にそれぞれ実装された第４ドレインドライバ素子２５４〜第６ドレインドライバ素子２５６で使用される。
【００２８】
図４には増幅器３００の構成が示されている。この図に示されるように、増幅器３００は、ＮチャネルＭＯＳトランジスタ３０１と、ＰチャネルＭＯＳトランジスタ３０２とにより構成され、第３ドレインＣＯＦ２４３の配線２８２から入力された信号を増幅し、配線２８４に出力する。
【００２９】
以上説明したように、本実施形態においては、ＴＦＴ基板２６０上、すなわちガラス基板上の配線を用いているために、フラットケーブル等のケーブルを使用する必要がなく、製造工程を簡略化できる。また、液晶表示装置において、ガラス基板を介したプリント配線基板間の配線を行う際に、第３ドレインドライバ素子２５３に増幅回路２９２を設けているため、信号は劣化されることなく、右側プリント配線基板２３０へ送ることができる。
【００３０】
図５には、上述の実施形態の第１の変形例が示されている。この変形例では、第４ドレインドライバ素子２５４には、通過回路２９４ではなく、増幅回路３１０が用いられている点で、上述の実施形態と異なっている。この増幅回路３１０で用いられている増幅器３００の構成は、図４で示されたものと同様である。このように、第３ドレインドライバ素子２５３に増幅回路２９２を設けるだけでなく、第４ドレインドライバ素子２５４にも増幅回路３１０を設けることによっても、信号の劣化を防ぐことができる。
【００３１】
図６には、上述の実施形態の第２の変形例が示されている。この変形例では、第４ドレインドライバ素子２５４には、第１の変形例と同様に、増幅回路３１０が用いられているが、第３ドレインドライバ素子２５３には、通過回路３１５が用いられている点で、第１の変形例と異なっている。このようにした場合であっても、信号が、増幅回路３１０の増幅器３００で、増幅されることにより、右側プリント配線基板２３０の配線２３２へ送る信号の劣化を防ぐことができる。
【００３２】
図７には、上述の実施形態の第３の変形例が示されている。この変形例における第３ドレインドライバ素子２５３の増幅回路３２０には、一部に信号線に増幅器３００が設けられているが、他の信号線には増幅器３００がないただの通過回路となっている点で、上述の実施形態と異なっている。このように、例えば電源線等の増幅の必要のない信号の配線には、増幅器３００を設けず、増幅の必要のある信号にのみ増幅器３００を設けることで、消費電力を削減できると共に、信号の劣化を防ぐことができる。
【００３３】
なお、本実施形態においては、液晶テレビ受像機としたが、本発明の液晶表示装置は、パソコン用のモニターその他の液晶表示装置にも適用することができる。
【００３４】
また、本実施形態においては、フレキシブル基板としてＣＯＦを用いることとしたが、ＴＣＰその他のフレキシブル基板でもよい。また、本実施形態においては、増幅器３００を有する素子をドレインドライバ回路素子としたが、ゲートドライバ回路素子その他の集積回路を用いることができる。
【００３５】
また、本実施形態においては、増幅器３００は図４に示されるような構成としたが、この他の信号を増幅する回路の構成であっても、本発明の技術的思想と異なるものではない。
【００３６】
また、本発明の液晶表示装置に用いられるＴＦＴ基板には、ＩＰＳ（In Plane Switching）方式、ＴＮ（Twisted Nematic）方式及びＶＡ（Vertical Alignment）方式のうちのいずれの方式のＴＦＴ基板も用いることができる。
【符号の説明】
【００３７】
１００  液晶テレビ受像機、１１０  筐体、１２０  表示画面、１３０  スピーカ、１６０  アンテナ、２００  液晶モジュール、２１０  映像信号処理プリント配線基板、２１１  映像信号処理素子、２１５  フレキシブルケーブル、２２０  左側プリント配線基板、２３０  右側プリント配線基板、２４１〜２４６  第１ドレインＣＯＦ〜第６ドレインＣＯＦ、２５１〜２５６  第１ドレインドライバ素子〜第６ドレインドライバ素子、２６０  ＴＦＴ基板、２６２  ゲート信号線、２６４  ドレイン信号線、２６８  カラーフィルタ基板、２７１〜２７４  第１ゲートＣＯＦ〜第４ゲートＣＯＦ、２７６〜２７９  第１ゲートドライバ素子〜第４ゲートドライバ素子、２９０  ドレインドライバ回路、２９２，３１０，３２０  増幅回路、２９４，３１５  通過回路、３００  増幅器、３０１  ＮチャネルＭＯＳトランジスタ、３０２  ＰチャネルＭＯＳトランジスタ。
【図１】
2010258180.tif 000003
【図２】
2010258180.tif 000004
【図３】
2010258180.tif 000005
【図４】
2010258180.tif 000006
【図５】
2010258180.tif 000007
【図６】
2010258180.tif 000008
【図７】
2010258180.tif 000009